(57)【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する第１操作と、アプリケーションの機能を実行するための前記第２画像に対する第２操作とを一律に受け付ける入力部からの出力信号に基づいて、予め規定された第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別する制御部
を備え、
前記第１規定操作は、前記表示部に表示されるスライドバーを第１表示状態に変更する操作を含み、
前記第２規定操作は、前記スライドバーを第２表示状態に変更する操作を含む、表示制御装置。
【請求項２】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する第１操作と、アプリケーションの機能を実行するための前記第２画像に対する第２操作とを一律に受け付ける入力部からの出力信号に基づいて、予め規定された第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別する制御部
を備え、
前記第１規定操作は、指示体により前記入力部に予め定められた第１軌道を描く第１ジェスチャー操作を含み、
前記第２規定操作は、指示体により前記入力部に予め定められた第２軌道を描く、前記第１ジェスチャー操作と異なる第２ジェスチャー操作を含む、表示制御装置。
【請求項３】
請求項２に記載の表示制御装置であって、
前記第１ジェスチャー操作は、ピンチ操作、ドラッグ操作またはフリック操作を含み、
前記第２ジェスチャー操作は、ピンチ操作、ドラッグ操作またはフリック操作を含む、表示制御装置。
【請求項４】
請求項２に記載の表示制御装置であって、
前記第１軌道及び前記第２軌道はいずれも予め定められた幅を有する直線状の領域に含まれる形状であり、かつ、前記第１軌道及び前記第２軌道の延在方向が異なる、表示制御装置。
【請求項５】
請求項４に記載の表示制御装置であって、
前記入力部の水平方向に対する前記第１軌道の前記延在方向の反時計回りの第１傾斜角度は、０度より大きく９０度より小さい予め定められた範囲内に規定され、かつ、前記入力部の水平方向に対する前記第２軌道の前記延在方向の反時計回りの第２傾斜角度は、９０度より大きく１８０度より小さい予め定められた範囲内に規定され、または、
前記第１傾斜角度は−４５度より大きく４５度より小さい予め定められた範囲内に規定され、かつ、前記第２傾斜角度は４５度より大きく１３５度より小さい予め定められた範囲内に規定される、表示制御装置。
【請求項６】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する第１操作と、アプリケーションの機能を実行するための前記第２画像に対する第２操作とを一律に受け付ける入力部からの出力信号に基づいて、予め規定された第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別する制御部
を備え、
前記第１規定操作は、指示体により前記入力部を予め定められた第１の数の点でタッチする第１タッチ操作を含み、
前記第２規定操作は、指示体により前記入力部に予め定められた第１軌道を描く第１ジェスチャー操作を含む、表示制御装置。
【請求項７】
請求項６に記載の表示制御装置であって、
前記第１方向及び前記第２方向は、それぞれ運転席側及び助手席側の方向であり、
前記第１の数は１つであり、
前記第１ジェスチャー操作は、ピンチ操作、ドラッグ操作またはフリック操作を含む、表示制御装置。
【請求項８】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する第１操作と、アプリケーションの機能を実行するための前記第２画像に対する第２操作とを一律に受け付ける入力部からの出力信号に基づいて、予め規定された第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別する制御部
を備え、
前記第１方向及び前記第２方向は、それぞれ運転席側及び助手席側の方向であり、
前記第１規定操作は、指示体により前記入力部を予め定められた距離よりも小さい距離で離間された２点で同時にタッチする２点タッチ操作を含み、
前記第２規定操作は、指示体により前記入力部を予め定められた距離よりも大きい距離で離間された２点で同時にタッチする２点タッチ操作を含む、表示制御装置。
【請求項９】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの機能を実行するための前記第１画像に対する第１操作と、アプリケーションの機能を実行するための前記第２画像に対する第２操作とを一律に受け付ける入力部からの出力信号に基づいて、予め規定された第１規定操作、または、当該第１規定操作後のジェスチャー操作が実施されたと判定された場合には、当該実施されたと判定された第１規定操作またはジェスチャー操作を、前記第１操作として判別し、前記入力部からの出力信号に基づいて、前記第１規定操作と異なる予め規定された第２規定操作、または、当該第２規定操作後のジェスチャー操作が実施されたと判定された場合には、当該実施されたと判定された第２規定操作またはジェスチャー操作を、前記第２操作として判別する制御部
を備え、
前記第１規定操作は、指示体により前記入力部を予め定められた第１の数の点でタッチする第１タッチ操作を含み、
前記第２規定操作は、指示体により前記入力部を前記第１の数と異なる予め定められた第２の数の点でタッチする第２タッチ操作を含む、表示制御装置。
【請求項１０】
請求項９に記載の表示制御装置であって、
前記第１方向及び前記第２方向は、それぞれ運転席側及び助手席側の方向であり、
前記第１の数及び前記第２の数は、それぞれ１つ及び２つである、表示制御装置。
【請求項１１】
請求項９に記載の表示制御装置であって、
指示体により前記入力部において特定の１点をタッチしながら、指示体により前記入力部において他の１点をタッチする一連の操作が実施された場合、または、指示体により前記入力部において特定の１点をタッチしてから予め定められた時間内に、指示体により前記入力部において他の１点をタッチする一連の操作が実施された場合に、前記第２の数が２つである前記第２タッチ操作が実施されたと判定される、表示制御装置。
【請求項１２】
請求項９に記載の表示制御装置であって、
指示体により前記入力部において１点をタッチする操作が実施され、かつ、当該実施から予め定められた時間が経過した時点で前記第２タッチ操作が実施されたと判定されていなかった場合に、前記第１の数が１つである前記第１タッチ操作が実施されたと判定される、表示制御装置。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、例えば、助手席の同乗者が、ドラッグ操作などの比較的広い範囲にわたる操作を実施した場合などには、運転席側の方向に表示されている画像内のアイコンに対して知らないうちに操作を実施してしまうことがあるという問題があった。【０００７】
そこで、本発明は、上記のような問題点を鑑みてなされたものであり、ユーザが操作したことによってアプリケーションの機能を知らないうちに実行してしまうことを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であり、制御部を備える。制御部は、アプリケーションの機能を実行するための第１画像に対する第１操作と、アプリケーションの機能を実行するための第２画像に対する第２操作とを一律に受け付ける入力部からの出力信号に基づいて、予め規定された第１規定操作、または、当該第１規定操作後のジェスチャー操作が実施されたと判定された場合には、当該実施されたと判定された第１規定操作またはジェスチャー操作を、第１操作として判別する。制御部は、入力部からの出力信号に基づいて、第１規定操作と異なる予め規定された第２規定操作、または、当該第２規定操作後のジェスチャー操作が実施されたと判定された場合には、当該実施されたと判定された第２規定操作またはジェスチャー操作を、第２操作として判別する。第１規定操作は、表示部に表示されるスライドバーを第１表示状態に変更する操作を含み、第２規定操作は、スライドバーを第２表示状態に変更する操作を含む。
【発明の効果】
【０００９】
本発明によれば、第１規定操作が実施されたと判定された場合には、当該第１規定操作を第１操作として判別し、第２規定操作が実施されたと判定された場合には、当該第２規定操作を第２操作として判別する。したがって、第１方向に位置するユーザは、第１規定操作を実施することにより、第２方向に位置するユーザのアプリケーションを知らないうちに実行することなく、自身のアプリケーションを実行することができる。同様に、第２方向に位置するユーザは、第２規定操作を実施することにより、第１方向に位置するユーザのアプリケーションを知らないうちに実行することなく、自身のアプリケーションを実行することができる。【００１０】
この発明の目的、特徴、態様、および利点は、以下の詳細な説明と添付図面とによって、より明白となる。
【図面の簡単な説明】
【００１１】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】実施の形態１に係るナビゲーション装置の動作を示すフローチャートである。
【図７】実施の形態１に係るナビゲーション装置の左用画像及び右用画像の表示例を示す図である。
【図８】実施の形態１に係るナビゲーション装置の動作を説明するための図である。
【図９】実施の形態１に係るナビゲーション装置の動作を説明するための図である。
【図１０】実施の形態１の変形例１に係るナビゲーション装置の動作を説明するための図である。
【図１１】実施の形態１の変形例１に係るナビゲーション装置の動作を説明するための図である。
【図１２】実施の形態１の変形例２に係るナビゲーション装置の動作を説明するための図である。
【図１３】実施の形態１の変形例２に係るナビゲーション装置の動作を説明するための図である。
【図１４】実施の形態１の変形例２に係るナビゲーション装置の動作を説明するための図である。
【図１５】実施の形態１の変形例３に係るナビゲーション装置の動作を説明するための図である。
【図１６】実施の形態１の変形例３に係るナビゲーション装置の動作を説明するための図である。
【図１７】実施の形態２に係るナビゲーション装置の動作を示すフローチャートである。
【図１８】実施の形態２に係るナビゲーション装置の動作を説明するための図である。
【図１９】実施の形態２に係るナビゲーション装置の動作を説明するための図である。
【図２０】実施の形態３の変形例１に係るナビゲーション装置の動作を説明するための図である。
【図２１】実施の形態３の変形例１に係るナビゲーション装置の動作を説明するための図である。
【図２２】実施の形態３の変形例１に係るナビゲーション装置の構成を説明するための図である。
【図２３】実施の形態３の変形例１に係るナビゲーション装置の動作を説明するための図である。
【図２４】実施の形態３の変形例１に係るナビゲーション装置の動作を説明するための図である。
【図２５】実施の形態４に係るナビゲーション装置の動作を説明するための図である。
【図２６】実施の形態４に係るナビゲーション装置の動作を説明するための図である。
【発明を実施するための形態】
【００１２】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１３】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１４】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１５】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１６】
後述するように、スプリットビュー表示部２は、左用画像内のアイコン（第１アイコン）と、右用画像内のアイコン（第２アイコン）とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１７】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１８】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１９】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００２０】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。
【００２１】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。
【００２２】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２３】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２４】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２５】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２６】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃが用いられていることが示されている。
【００２７】
以下の説明では、スプリットビュー表示部２に時分割方式の表示装置２５０が適用された構成において、第１期間に左用アイコンの表示に用いられ、かつ、第２期間に右用アイコンの表示に用いられた画素２５１ｃが存在する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。
【００２８】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。
【００２９】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００３０】
図１に戻って、タッチパネル３の検出面は、スプリットビュー表示部２の画面に配設されている。タッチパネル３（入力部）は、アプリケーションの機能を実行するための左用画像に対する第１操作（以下「左用操作」と記す）と、アプリケーションの機能を実行するための右用画像に対する第２操作（以下「右用操作」と記す）とを一律に受け付ける。本実施の形態１では、タッチパネル３は、検出面をタッチした１以上の指などの指示体について、当該検出面上の二次元の位置を定期的に検出する。そして、タッチパネル３は、当該指示体の位置を示す信号を操作入力処理部９に出力する。
【００３１】
ただし、タッチパネル３は、指示体の二次元位置を検出するものに限ったものではなく、例えば、指示体との距離が最短となる検出面上の点の位置（二次元の位置）と、指示体と検出面（当該点）との間の距離（別の一次元の位置）とを含む三次元の位置を、指示体の位置として検出するものであってもよい。
【００３２】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３３】
スピーカ５（音声出力部）は、制御部１４から出力された音声信号に基づいて音声を出力する。
【００３４】
ＤＶＤプレーヤ６は、ＤＶＤに記録されたＡＶ（Audio-video）情報を再生し、当該ＡＶ情報を制御部１４に出力する。
【００３５】
エアコン７は、制御部１４の制御により、自車の室内の温度や湿度を調整する。
【００３６】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３７】
操作入力処理部９は、タッチパネル３の出力信号に基づいて、タッチパネル３に対してジェスチャー操作が実施されたか否かを判定するとともに、実施されたジェスチャー操作の種類を判定する。ここで、ジェスチャー操作は、指示体によりタッチパネル３の検出面をタッチするタッチ操作と、指示体によりタッチパネル３の検出面に予め定められた軌道を描くジェスチャー操作（以下「軌道ジェスチャー操作」と記す）とを含む。また、軌道ジェスチャー操作は、２点タッチ後に当該２点タッチの２点を続けて用いるジェスチャー操作を含んでもよく、または、２点タッチ後に当該２点タッチの２点のうち１点を離して残りの１点を続けて用いるジェスチャー操作を含んでもよい。
【００３８】
つまり、操作入力処理部９は、タッチパネル３の出力信号に基づいて、ジェスチャー操作としてタッチ操作が実施されたか否かを判定する。また、タッチ操作が実施されたと判定する際には、操作入力処理部９は、タッチパネル３の検出面がタッチされた点の数（検出面をタッチした指示体の数）も判定する。したがって、操作入力処理部９は、指示体によりタッチパネル３の検出面を１点でタッチする１点タッチ操作が実施されたか否か、指示体によりタッチパネル３の検出面を２点でタッチする２点タッチ操作が実施されたか否かなどを判定することが可能となっている。なお、ここでは、２点タッチ操作は、２つの指示体によりタッチパネル３の検出面を同時に２点でタッチする操作であるとして説明するが、これに限ったものではなく、例えば実施の形態１の変形例２で説明する操作などであってもよい。
【００３９】
また、操作入力処理部９は、タッチパネル３の出力信号に基づいて、ジェスチャー操作として軌道ジェスチャー操作が実施されたか否かを判定する。ここで、軌道ジェスチャー操作は、例えば、指示体が予め定められた時間よりも短い時間で検出面を擦るフリック操作、指示体が予め定められた時間よりも長い時間で検出面を擦るドラッグ操作、及び、二つの指示体が検出面に接触した状態でそれらの間の距離を変更するピンチ操作などを含む。ただし、ドラッグ操作は、上述した操作に限ったものではなく、指示体がタッチパネルに触れたまま検出面を擦る操作として適用されてもよい。また、フリック操作は、上述した操作に限ったものではなく、指示体がタッチパネルに触れた状態からその検出面をはらう操作として適用されてもよい。
【００４０】
なお、後述する第１規定操作及び第２規定操作には、ジェスチャー操作が適用される。上述したように、操作入力処理部９は、ジェスチャー操作の種類ごとに、ジェスチャー操作が実施されたか否かを判定するように構成されていることから、第１規定操作及び第２規定操作が実施されたか否かを判定することが可能となっている。
【００４１】
さらに、操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の位置を示す信号）とに基づいて、タッチパネル３、ひいてはスプリットビュー表示部２に表示されているアイコンなどに対してタッチ操作またはジェスチャー操作が実施されたか否かを判定する。例えば、操作入力処理部９は、タッチパネル３の出力信号が示す指示体の位置が、左用アイコンの表示領域に重なる（当該指示体が、当該左用アイコンの内側に位置する）と判定した場合、または、当該表示領域に重なりながら変化する（当該指示体の位置が、当該表示領域の内側に位置しながら変化する）と判定した場合には、当該左用アイコンに対するジェスチャー操作が実施されたと判定する。操作入力処理部９は、左用アイコンに関する当該判定と同様の判定を右用アイコンについても行う。
【００４２】
操作入力処理部９は、以上のジェスチャー操作の判定結果などを制御部１４に出力する。以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００４３】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図７（ａ）及び図７（ｂ）に対応する画像）を、「アイコン配置画像」と記す。「アイコン配置画像」は、地図情報にアイコンを表示した画像も含む。
【００４４】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４５】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４６】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４７】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４８】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４９】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００５０】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部（左用画像）に表示される。以下、左用画像として表示可能なアイコン配置画像（例えば図７（ａ）に対応する画像）を「左用アイコン配置画像」と記す。なお、左用画像として表示されている左用アイコン配置画像内のアイコンは、上述の左用アイコンに対応する。
【００５１】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図７（ｂ）に対応する画像）を「右用アイコン配置画像」と記す。なお、右用画像として表示されている右用アイコン配置画像内のアイコンは、上述の右用アイコンに対応する。
【００５２】
また、制御部１４は、予め規定された第１規定操作が実施されたと操作入力処理部９にて判定された場合には、当該実施されたと判定された第１規定操作を、上述の左用操作として判別する。一方、制御部１４は、第１規定操作と異なる予め規定された第２規定操作が実施されたと操作入力処理部９にて判定された場合には、当該実施されたと判定された第２規定操作を、上述の右用操作として判別する。
【００５３】
本実施の形態１では、第１規定操作は、指示体によりタッチパネル３を予め定められた第１の数の点でタッチする第１タッチ操作であり、第２規定操作は、指示体によりタッチパネル３を第１の数と異なる予め定められた第２の数の点でタッチする第２タッチ操作であるものとする。ここでは、その一例として、第１規定操作が、１点タッチ操作（第１の数が１つである第１タッチ操作）であり、第２規定操作が、２点タッチ操作（第２の数が２つである第２タッチ操作）場合について説明する。また、ここでは第１規定操作及び第２規定操作は、アイコンに対する操作であるものとして説明するが、アイコン以外の表示領域（例えば、軌道ジェスチャー操作が行われるジェスチャー領域など）に対する操作であってもよい。
【００５４】
＜動作＞
図６は、本実施の形態１に係るナビゲーション装置１の動作を示すフローチャートである。図６に示される動作はＣＰＵが記憶部１１に記憶されたプログラムを実行することによって行われる。以下、ナビゲーション装置１の動作について図６を用いて説明する。
【００５５】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５６】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５７】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５８】
図７（ａ）及び図７（ｂ）は、本実施の形態１に係るナビゲーション装置１（スプリットビュー表示部２）のステップＳ３における左用画像及び右用画像の表示例を示す図である。図７（ａ）の左用画像には、左用アイコンＬ１，Ｌ２，Ｌ３，Ｌ４，Ｌ５（以下これらのアイコンをまとめて「左用アイコンＬ１〜Ｌ５」と記すこともある）が表示されている。図７（ｂ）の右用画像には、右用アイコンＲ１，Ｒ２，Ｒ３，Ｒ４，Ｒ５（以下これらのアイコンをまとめて「右用アイコンＲ１〜Ｒ５」と記すこともある）が表示されている。
【００５９】
図７（ａ）及び図７（ｂ）の表示例では、左用アイコンＬ１〜Ｌ５と右用アイコンＲ１〜Ｒ５とが、スプリットビュー表示部２の画面上において互いに重ねて配置されている。本実施の形態１では、制御部１４が、左用アイコンＬ１〜Ｌ５の表示領域の少なくとも一部と、右用アイコンＲ１〜Ｒ５の表示領域の少なくとも一部とがスプリットビュー表示部２の画面上において互いに重なる左用アイコン配置画像及び右用アイコン配置画像を記憶部１１から取得し、これらをスプリットビュー表示部２に表示させることにより、図７（ａ）及び図７（ｂ）に示すような表示が実現されるものとする。
【００６０】
図６のステップＳ４にて、操作入力処理部９は、タッチ操作が実施されたか否かを判定する。タッチ操作が実施されたと判定された場合にはステップＳ５に進み、実施されなかったと判定された場合にはステップＳ４を再度行う。なお、ステップＳ４を再度行う際において、地図が左用画像または右用画像として表示されており、かつ、自車の位置が変化していた場合には、制御部１４は、当該変化に応じて当該地図をスクロールさせてもよい。
【００６１】
ステップＳ５にて、操作入力処理部９は、ステップＳ４のタッチ操作が左用アイコンまたは右用アイコンに対して実施されたか否かを判定する。なお、この判定結果はステップＳ８またはステップＳ１１にて用いられる。
【００６２】
ステップＳ６にて、操作入力処理部９は、ステップＳ４のタッチ操作における点の数が１つであったか、２つであったか、または、これらのいずれでもなかったかを判定する。
【００６３】
１つであったと判定された場合（１点タッチ操作であったと判定された場合）にはステップＳ７に進み、２つであったと判定された場合（２点タッチ操作であったと判定された場合）にはステップＳ１０に進み、これらのいずれでもなかったと判定された場合にはステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ６以外のステップからステップＳ４に戻る際においても同様である。
【００６４】
ステップＳ６からステップＳ７に進んだ場合、ステップＳ７にて、制御部１４は、ステップＳ４のタッチ操作、すなわち１点タッチ操作を左用操作として判別する。
【００６５】
ステップＳ８にて、制御部１４は、左用操作であると判別された１点タッチ操作が、左用アイコンに対して実施されたか否かを、ステップＳ５の判定結果に基づいて判断する。当該１点タッチ操作が、左用アイコンに対して実施されたと判断された場合にはステップＳ９に進み、そうでない場合にはステップＳ４に戻る。
【００６６】
ステップＳ９にて、制御部１４は、１点タッチ操作が実施された左用アイコンに予め対応付けられた機能を実行する。その後ステップＳ４に戻る。なお、当該左用アイコンに対して、アイコン配置画像が予め対応付けられて記憶部１１に記憶されている場合には、ステップＳ９からステップＳ３に戻って、当該アイコン配置画像がスプリットビュー表示部２に表示されてもよい。
【００６７】
ステップＳ６からステップＳ１０に進んだ場合、ステップＳ１０にて、制御部１４は、ステップＳ４のタッチ操作、すなわち２点タッチ操作を右用操作として判別する。
【００６８】
ステップＳ１１にて、制御部１４は、右用操作であると判別された２点タッチ操作が、右用アイコンに対して実施されたか否かを、ステップＳ５の判定結果に基づいて判断する。当該２点タッチ操作が、右用アイコンに対して実施されたと判断された場合にはステップＳ１２に進み、そうでない場合にはステップＳ４に戻る。
【００６９】
ステップＳ１２にて、制御部１４は、２点タッチ操作が実施された右用アイコンに予め対応付けられた機能を実行する。その後ステップＳ４に戻る。なお、当該右用アイコンに対して、アイコン配置画像が予め対応付けられて記憶部１１に記憶されている場合には、ステップＳ１２からステップＳ３に戻って、当該アイコン配置画像がスプリットビュー表示部２に表示されてもよい。
【００７０】
以上で説明した図６の動作の一例について説明する。例えば、図８（ａ）及び図８（ｂ）に示されるように、指示体である指２１による１点タッチ操作が左用アイコンＬ１及び右用アイコンＲ１に対して実施されたものとする。この場合には、制御部１４は、当該１点タッチ操作を左用操作として判別する。この結果、制御部１４は、右用アイコンＲ１に対応付けられた機能を実行せずに、左用アイコンＬ１に対応付けられた機能を実行する。
【００７１】
一方、例えば、図９（ａ）及び図９（ｂ）に示されるように、指２１による２点タッチ操作が左用アイコンＬ１及び右用アイコンＲ１に対して実施されたものとする。この場合には、制御部１４は、当該２点タッチ操作を右用操作として判別する。この結果、制御部１４は、左用アイコンＬ１に対応付けられた機能を実行せずに、右用アイコンＲ１に対応付けられた機能を実行する。
【００７２】
＜効果＞
以上のような本実施の形態１に係るナビゲーション装置１によれば、第１規定操作（ここでは１点タッチ操作）が実施されたと判定された場合には、当該第１規定操作を左用操作として判別し、第２規定操作（ここでは２点タッチ操作）が実施されたと判定された場合には、当該第２規定操作を右用操作として判別する。したがって、左座席のユーザは、第１規定操作を実施することにより、右座席のユーザのアプリケーションを知らないうちに実行することなく、左座席のユーザのアプリケーションを実行することができる。同様に、右座席のユーザは、第２規定操作を実施することにより、左座席のユーザのアプリケーションを知らないうちに実行することなく、右座席のユーザのアプリケーションを実行することができる。また、この結果として、スプリットビュー表示部２の画面上において左用アイコン及び右用アイコンを重ねて配置することができることから、アイコン配置画像を生成する工程にて、アイコンを配置するための領域が不足することを抑制することができるとともに、アイコン配置に課せられる制約を低減することができる。
【００７３】
また、本実施の形態１によれば、左座席のユーザ、すなわち運転者は、２点タッチ操作よりも簡単な１点タッチ操作を実施すればよいことから、運転者の操作上の負担を抑制することができる。よって、運転者は運転に集中することが可能となる。
【００７４】
なお、本実施の形態１の図９（ｂ）には、２点タッチした指の両方が、右用アイコンＲ１をタッチしているが、２点タッチ中の片方の指が右用アイコンＲ１をタッチした場合にも、アイコンＲ１が操作されたとして右座席のアプリケーションを実行してもよい。また、２点タッチした指の両方が右用アイコンＲ１をタッチした場合に、アイコンＲ１が操作されたと判断するようにしてもよい。また、２点タッチした２本の指が２つのアイコンをそれぞれ同時にタッチした場合は、当該タッチの操作を無効にして、無効である旨を報知してもよい。また２点タッチは中指と人差し指を用いる場合が多く、中指の方が人差し指よりも強く押せる（タッチできる）ので、中指によるタッチ操作を人差し指によるタッチ操作よりも優先としてもよい。すなわち、２点タッチの２点のうち画面に対して上側の点（タッチパネル３のｙ軸座標が大きいタッチ点）または左側の点（タッチパネル３のｘ軸座標が小さいタッチ点）を、中指によるタッチ点であるとして、当該タッチ点を有効にしてもよい。ただし、使用状況によっては、人差し指を優先することも考えられるので、２つのタッチ点のいずれのタッチ点を優先するかは、ユーザによって設定できるようにしてもよい。
【００７５】
＜実施の形態１の変形例１＞
実施の形態１においては、第１規定操作が実施されたと判定された場合に、当該第１規定操作を左用操作として判別した。しかしこれに限ったものではなく、第１規定操作を左用操作として判別する代わりに、当該第１規定操作後のジェスチャー操作（タッチ操作または軌道ジェスチャー操作）を左用操作として判別するものであってもよい。つまり、制御部１４は、第１規定操作後のジェスチャー操作が実施されたと操作入力処理部９にて判定された場合には、当該実施されたと判定されたジェスチャー操作を、左用操作として判別してもよい。
【００７６】
例えば、第１規定操作が１点タッチ操作である構成において、図１０（ａ）及び図１０（ｂ）に示されるように、指２１による１点タッチ操作後のドラッグ操作が、左用画像の点Ｄｌ及び右用画像の点Ｄｒに対して実施されたものとする（図中の矢印２１Ａは当該ドラッグ操作における指２１の軌道を示す）。この場合には、制御部１４は、当該ドラッグ操作を左用画像の点Ｄｌに対する左用操作として判別してもよい。なお、第１規定操作後のジェスチャー操作として、ドラッグ操作の代わりにフリック操作などが適用された場合も同様である。この操作は、例えばアイコン外で操作を行う地図スクロール機能等に適用される。
【００７７】
また、例えば、第１規定操作が２点タッチ操作である構成において、２点タッチ操作後のピンチ操作が、左用画像の点及び右用画像の点に対して実施されたものとする（図示せず）。この場合には、制御部１４は、当該ピンチ操作を左用画像の点に対する左用操作として判別してもよい。
【００７８】
また、実施の形態１においては、第２規定操作が実施されたと判定された場合に、当該第２規定操作を右用操作として判別した。しかしこれに限ったものではなく、第２規定操作を右用操作として判別する代わりに、当該第２規定操作後のジェスチャー操作（タッチ操作または軌道ジェスチャー操作）を右用操作として判別するものであってもよい。つまり、制御部１４は、第２規定操作後のジェスチャー操作が実施されたと操作入力処理部９にて判定された場合には、当該実施されたと判定されたジェスチャー操作を、右用操作として判別してもよい。
【００７９】
例えば、第２規定操作が２点タッチ操作である構成において、図１１（ａ）及び図１１（ｂ）に示されるように、指２１による２点タッチ操作後のドラッグ操作が、左用画像の点Ｄｌ及び右用画像の点Ｄｒに対して実施されたものとする（図中の矢印２１Ａは当該ドラッグ操作における指２１の軌道を示す）。この場合には、制御部１４は、当該ドラッグ操作を右用画像の点Ｄｒに対する右用操作として判別してもよい。なお、第２規定操作後のジェスチャー操作として、ドラッグ操作の代わりにフリック操作などが適用された場合も同様である。
【００８０】
また、例えば、第２規定操作が３点タッチ操作である構成において、３点タッチ操作後のピンチ操作が、左用画像の点及び右用画像の点に対して実施されたものとする（図示せず）。この場合には、制御部１４は、当該ピンチ操作を右用画像の点に対する右用操作として判別してもよい。
【００８１】
以上のような構成によれば、第１規定操作及び第２規定操作後のジェスチャー操作について、実施の形態１と同様の効果を得ることができる。
【００８２】
＜実施の形態１の変形例２＞
実施の形態１では、操作入力処理部９は、２つの指示体によりタッチパネル３の検出面を同時に２点でタッチする操作が実施された場合に、２点タッチ操作が実施されたと判定する構成を説明した。しかしこれに限ったものではなく、以下の第１例または第２例に説明する構成であってもよい。
【００８３】
まず、第１例の構成について説明する。例えば、図１２に示されるように、指２１によりタッチパネル３上の特定の１点（特別ボタン２２）をタッチしながら、図１３に示されるように、指２１によりタッチパネル３上の他の１点（左用ボタンＬ３）をタッチする一連の操作が実施されたとする。この場合に、操作入力処理部９は、他の１点（左用ボタンＬ３）に対する２点タッチ操作が実施されたと判定してもよい。このように構成した場合にも、実施の形態１と同様の効果を得ることができる。
【００８４】
次に、第２例の構成について説明する。例えば、図１２に示されるように、指２１によりタッチパネル３上の特定の１点（特別ボタン２２）をタッチしてから予め定められた時間内（例えば２〜５秒内）に、図１４に示されるように、指２１によりタッチパネル上の他の１点（左用ボタンＬ３）をタッチする一連の操作が実施されたとする。この場合に、操作入力処理部９は、他の１点（左用ボタンＬ３）に対する２点タッチ操作が実施されたと判定してもよい。このように構成した場合にも、実施の形態１と同様の効果を得ることができる。
【００８５】
なお、図１２〜図１４に示される特別ボタン２２は、左用アイコンの表示領域及び右用アイコンの表示領域とスプリットビュー表示部２の画面上において離間するように配置されていることから、特別ボタン２２に対する操作が、左用アイコン及び右用アイコンに対する操作として判定されることを抑制することができる。
【００８６】
また、上述の第１例及び第２例の構成において、タッチパネル３上の特定の１点（特別ボタン２２）を用いる代わりに、タッチパネル３上の任意の１点を用いてもよい。
【００８７】
具体的には、図１２及び図１３に示した第１例と同様に、指示体によりタッチパネル３上の任意の１点（最初の１点）をタッチしながら、指示体によりタッチパネル３上の他の１点（次の１点）をタッチする一連の操作が実施されたとする。この場合には、操作入力処理部９は、最初の１点または次の１点に対する２点タッチ操作（第２規定操作）が実施されたと判定してもよい。
【００８８】
一方、この構成において、指示体によりタッチパネル３上の任意の１点をタッチする操作が実施され、かつ、当該タッチしている状態が維持されている間に他の１点をタッチする操作が実施されなかったとする。この場合には、操作入力処理部９は、当該１点に対する１点タッチ操作（第１規定操作）が実施されたと判定してもよい。以上のように構成した場合にも、実施の形態１と同様の効果を得ることができる。
【００８９】
また、図１２及び図１４に示した第２例と同様に、指示体によりタッチパネル３上の任意の１点（最初の１点）をタッチしてから予め定められた時間内（例えば２〜５秒内）に、指示体によりタッチパネル上の他の１点（次の１点）をタッチする一連の操作が実施されたとする。この場合には、操作入力処理部９は、最初の１点または次の１点に対する２点タッチ操作（第２規定操作）が実施されたと判定してもよい。
【００９０】
一方、この構成において、指示体によりタッチパネル３上の任意の１点をタッチする操作が実施され、かつ、予め定められた時間が経過した時点までに他の１点をタッチする操作が実施されていなかったとする。すなわち、指示体によりタッチパネル３上の１点をタッチする操作が実施され、かつ、予め定められた時間が経過した時点で２点タッチ操作が実施されていなかったとする。この場合には、操作入力処理部９は、当該１点に対する１点タッチ操作（第１規定操作）が実施されたと判定してもよい。以上のように構成した場合にも、実施の形態１と同様の効果を得ることができる。
【００９１】
＜実施の形態１の変形例３＞
実施の形態１では、第１規定操作に適用したタッチ操作と、第２規定操作に適用したタッチ操作とにおいて、タッチパネル３がタッチされる点の数が異なっていたが、これらの点の数が同じであってもよい。
【００９２】
例えば、第１規定操作は、指示体によりタッチパネル３を予め定められた距離Ｄよりも小さい距離で離間された２点で同時にタッチする２点タッチ操作であってもよく、第２規定操作は、指示体によりタッチパネル３を予め定められた距離Ｄよりも大きい距離で離間された２点で同時にタッチするタッチ操作であってもよい。なお、ここでいう予め定められた距離Ｄには、例えば、片手の人差し指の先端及び中指の先端の間の最大距離が適用される。
【００９３】
そのような距離を距離Ｄに適用した構成においては、図１５（ａ）及び図１５（ｂ）に示されるように、制御部１４は、２点の距離Ｄ１が距離Ｄよりも小さい片手による２点タッチ操作が実施されたと判定された場合には、当該２点タッチ操作を左用操作として判別することが可能となる。一方、図１６（ａ）及び図１６（ｂ）に示されるように、制御部１４は、２点の距離Ｄ２が距離Ｄ以上である両手による２点タッチ操作が実施されたと判定された場合には、当該２点タッチ操作を右用操作として判別することが可能となる。
【００９４】
以上のような本変形例３に係るナビゲーション装置１によれば、実施の形態１と同様の効果を得ることができる。また、運転者は、例えば両手による２点タッチ操作よりも簡単な片手による２点タッチ操作を実施すればよいことから、運転者の操作上の負担を抑制することができる。よって、運転者は運転に集中することが可能となる。
【００９５】
＜実施の形態２＞
本発明の実施の形態２に係るナビゲーション装置１のブロック構成は、実施の形態１のブロック構成と同じであることから、その図示については省略する。そして、本実施の形態２に係るナビゲーション装置１において、実施の形態１で説明した構成要素と同一または類似するものについては同じ符号を付し、以下においては異なる点を中心に説明する。
【００９６】
上述した実施の形態１では、第１規定操作及び第２規定操作は、それぞれ第１タッチ操作及び第２タッチ操作であった。これに対して本実施の形態２では、第１規定操作は、第１タッチ操作であり、第２規定操作は、指示体によりタッチパネル３に予め定められた第１軌道を描く第１ジェスチャー操作（以下「第１軌道ジェスチャー操作」と記す）である。ここでは、その一例として、第１規定操作が、１点タッチ操作（第１の数が１つである第１タッチ操作）であり、第１軌道ジェスチャー操作が、フリック操作（軌道ジェスチャー操作に含まれる操作の１種）である場合について説明する。
【００９７】
図１７は、本実施の形態２に係るナビゲーション装置１の動作を示すフローチャートである。図１７に示すフローチャートのステップＳ１〜Ｓ３は、図６に示したフローチャートのステップＳ１〜Ｓ３と同じであることから、その説明については省略する。
【００９８】
ステップＳ３後のステップＳ１４にて、操作入力処理部９は、タッチパネル３に対する操作が実施されたか否かを判定する。操作が実施されたと判定された場合にはステップＳ１５に進み、実施されなかったと判定された場合にはステップＳ１４を再度行う。なお、ステップＳ１４を再度行う際には、制御部１４は、上述のステップＳ４を再度行う際と同様に地図をスクロールさせてもよい。
【００９９】
ステップＳ１５にて、操作入力処理部９は、ステップＳ１４の操作が左用アイコンまたは右用アイコンに対して実施されたか否かを判定する。なお、この判定結果はステップＳ１８またはステップＳ２０にて用いられる。
【０１００】
ステップＳ１６にて、操作入力処理部９は、ステップＳ１４の操作が１点タッチ操作であったか、フリック操作であったか、または、これらのいずれでもなかったかを判定する。
【０１０１】
１点タッチ操作であったと判定された場合にはステップＳ１７に進み、フリック操作であったと判定された場合にはステップＳ２０に進み、これらのいずれでもなかったと判定された場合にはステップＳ１４に戻る。なお、ステップＳ１４に戻る際には、制御部１４は、上述のステップＳ４に戻る際と同様に地図をスクロールさせてもよい。このことは、ステップＳ１６以外のステップからステップＳ１４に戻る際においても同様である。
【０１０２】
ステップＳ１６からステップＳ１７に進んだ場合、ステップＳ１７にて、制御部１４は、ステップＳ１４の操作、すなわち１点タッチ操作を左用操作として判別する。
【０１０３】
ステップＳ１８にて、制御部１４は、左用操作であると判別された１点タッチ操作が、左用アイコンに対して実施されたか否かを、ステップＳ１５の判定結果に基づいて判断する。当該１点タッチ操作が、左用アイコンに対して実施されたと判断された場合にはステップＳ１９に進み、そうでない場合にはステップＳ１４に戻る。
【０１０４】
ステップＳ１９にて、制御部１４は、１点タッチ操作が実施された左用アイコンに予め対応付けられた機能を実行する。その後ステップＳ１４に戻る。なお、当該左用アイコンに対して、アイコン配置画像が予め対応付けられて記憶部１１に記憶されている場合には、ステップＳ１９からステップＳ３に戻って、当該アイコン配置画像がスプリットビュー表示部２に表示されてもよい。
【０１０５】
ステップＳ１６からステップＳ２０に進んだ場合、ステップＳ２０にて、制御部１４は、ステップＳ１４の操作、すなわちフリック操作を右用操作として判別する。
【０１０６】
ステップＳ２１にて、制御部１４は、右用操作であると判別されたフリック操作が、右用アイコンに対して実施されたか否かを、ステップＳ１５の判定結果に基づいて判断する。当該フリック操作が、右用アイコンに対して実施されたと判断された場合にはステップＳ２２に進み、そうでない場合にはステップＳ１４に戻る。
【０１０７】
ステップＳ２２にて、制御部１４は、フリック操作が実施された右用アイコンに予め対応付けられた機能を実行する。その後ステップＳ１４に戻る。なお、当該右用アイコンに対して、アイコン配置画像が予め対応付けられて記憶部１１に記憶されている場合には、ステップＳ２２からステップＳ３に戻って、当該アイコン配置画像がスプリットビュー表示部２に表示されてもよい。
【０１０８】
以上で説明した図１７の動作の一例について説明する。例えば、図１８（ａ）及び図１８（ｂ）に示されるように、指２１による１点タッチ操作が左用アイコンＬ１及び右用アイコンＲ１に対して実施されたものとする。この場合には、制御部１４は、当該１点タッチ操作を左用操作として判別する。この結果、制御部１４は、右用アイコンＲ１に対応付けられた機能を実行せずに、左用アイコンＬ１に対応付けられた機能を実行する。
【０１０９】
一方、例えば、図１９（ａ）及び図１９（ｂ）に示されるように、指２１によるフリック操作が左用アイコンＬ１及び右用アイコンＲ１に対して実施されたものとする（図中の矢印２１Ｂは当該フリック操作における指２１の軌道を示す）。この場合には、制御部１４は、当該フリック操作を右用操作として判別する。この結果、制御部１４は、左用アイコンＬ１に対応付けられた機能を実行せずに、右用アイコンＲ１に対応付けられた機能を実行する。
【０１１０】
＜効果＞
以上のような本実施の形態２に係るナビゲーション装置１によれば、第１タッチ操作（ここでは１点タッチ操作）が実施されたと判定された場合には、当該第１タッチ操作を左用操作として判別し、第１軌道ジェスチャー操作（ここではフリック操作）が実施されたと判定された場合には、当該第１軌道ジェスチャー操作を右用操作として判別する。したがって、実施の形態１と同様の効果を得ることができる。
【０１１１】
また、本実施の形態２によれば、運転者は、第１軌道ジェスチャー操作よりも簡単な第１タッチ操作を実施すればよいことから、運転者の操作上の負担を抑制することができる。よって、運転者は運転に集中することが可能となる。
【０１１２】
＜実施の形態３＞
本発明の実施の形態３に係るナビゲーション装置１のブロック構成は、実施の形態１のブロック構成と同じであることから、その図示については省略する。また、本実施の形態３に係るナビゲーション装置１において、実施の形態１及び２で説明した構成要素と同一または類似するものについては同じ符号を付し、以下においては異なる点を中心に説明する。
【０１１３】
本実施の形態３では、第１規定操作は実施の形態２で説明した第１軌道ジェスチャー操作であり、第２規定操作は、予め定められた第２軌道を描く、第１軌道ジェスチャー操作と異なる第２ジェスチャー操作（以下「第２軌道ジェスチャー操作」と記す）である。
【０１１４】
なお、第１軌道ジェスチャー操作及び第２軌道ジェスチャー操作が異なるとは、第１軌道及び第２軌道が異なること、及び、軌道ジェスチャー操作の種類が異なることの少なくともいずれか１つを意味する。ここでは、その一例として、第１軌道ジェスチャー操作が、フリック操作（軌道ジェスチャー操作に含まれる操作の１種）であり、第２軌道ジェスチャー操作が、ドラッグ操作（軌道ジェスチャー操作に含まれる操作の１種）である場合、すなわち軌道ジェスチャー操作の種類が異なる場合について説明する。なお、第１軌道及び第２軌道が異なることについては、実施の形態３の変形例１で説明する。
【０１１５】
本実施の形態３において、例えば、フリック操作が左用アイコンＬ１及び右用アイコンＲ１に対して実施された場合には、制御部１４は、当該フリック操作を左用操作として判別する。この結果、制御部１４は、右用アイコンＲ１に対応付けられた機能を実行せずに、左用アイコンＬ１に対応付けられた機能を実行する。
【０１１６】
一方、例えば、ドラッグ操作が左用アイコンＬ１及び右用アイコンＲ１に対して実施された場合には、制御部１４は、当該ドラッグ操作を右用操作として判別する。この結果、制御部１４は、左用アイコンＬ１に対応付けられた機能を実行せずに、右用アイコンＲ１に対応付けられた機能を実行する。
【０１１７】
＜効果＞
以上のような本実施の形態３に係るナビゲーション装置１によれば、第１軌道ジェスチャー操作（ここではフリック操作）が実施されたと判定された場合には、当該第１軌道ジェスチャー操作を左用操作として判別し、第２軌道ジェスチャー操作（ここではドラッグ操作）が実施されたと判定された場合には、当該第２軌道ジェスチャー操作を右用操作として判別する。したがって、実施の形態１と同様の効果を得ることができる。
【０１１８】
また、タッチパネルに触れる程度の軽いタッチ操作と、タッチパネルを所定の強さで押す押し込み操作とを判別できるタッチパネルを、タッチパネル３に適用してもよい。そして、操作入力処理部９は、タッチパネル３からの出力信号に基づいて、アイコンへの軽いタッチ操作が実施されたと判定した場合には、当該タッチ操作は運転席側からの操作であるとして判定し、アイコンへの押し込み操作が実施されたと判定した場合には、当該押し込み操作は助手席側からの操作であると判定してもよい。このような構成にすれば、軽いタッチ操作が運転者の操作として判定されることから、運転者に有利な操作を実現することができる。また、軽いタッチ操作と押し込み操作とを判別する場合には、１点タッチでも２点タッチでも操作を有効にしてもよい。
【０１１９】
＜実施の形態３の変形例＞
以上で説明した実施の形態３では、第１軌道ジェスチャー操作及び第２軌道ジェスチャー操作について軌道ジェスチャー操作の種類が異なる構成を説明した。しかしこれに限ったものではなく、以下の第１例または第２例に説明するように、第１軌道ジェスチャー操作の第１軌道と、第２軌道ジェスチャー操作の第２軌道とが、形状または方向に関して異なるものであってもよい。
【０１２０】
第１例の構成では、第１軌道ジェスチャー操作の第１軌道の形状と、第２軌道ジェスチャー操作の第２軌道の形状とが異なっている。ここでは、その一例として、第１軌道が直線形状であり、第２軌道がＶ字形状である場合について説明する。ただし、第１軌道は、完全な直線形状に限ったものではなく、予め定められた幅を有する直線状の領域に含まれる形状（例えば、比較的小さなジグザグを有する略直線形状）などであればよい。
【０１２１】
このような構成において、図２０（ａ）及び図２０（ｂ）に示されるように、指２１による直線形状のドラッグ操作が、左用アイコンＬ１及び右用アイコンＲ１に対して実施されたものとする（図中の矢印２１Ｃは当該ドラッグ操作における指２１の軌道を示す）。この場合には、制御部１４は、当該ドラッグ操作を左用操作として判別する。この結果、制御部１４は、右用アイコンＲ１に対応付けられた機能を実行せずに、左用アイコンＬ１に対応付けられた機能を実行する。
【０１２２】
一方、図２１（ａ）及び図２１（ｂ）に示されるように、指２１によるＶ字形状のドラッグ操作が、左用アイコンＬ１及び右用アイコンＲ１に対して実施されたものとする（図中の矢印２１Ｄは当該ドラッグ操作における指２１の軌道を示す）。この場合には、制御部１４は、当該ドラッグ操作を右用操作として判別する。この結果、制御部１４は、左用アイコンＬ１に対応付けられた機能を実行せずに、右用アイコンＲ１に対応付けられた機能を実行する。
【０１２３】
第２例の構成では、第１軌道ジェスチャー操作の第１軌道、及び、第２軌道ジェスチャー操作の第２軌道はいずれも直線形状であり、かつ、第１軌道及び第２軌道の延在方向が異なっている。ただし、第１軌道及び第２軌道は、完全な直線形状に限ったものではなく、予め定められた幅を有する直線状の領域に含まれる形状（例えば、比較的小さなジグザグを有する略直線形状）などであればよい。
【０１２４】
本変形例では、図２２に示されるように、タッチパネル３の水平方向（タッチパネル３の左右方向）に対する第１軌道の延在方向の反時計回りの第１傾斜角度θ１は、０度より大きく９０度より小さい予め定められた範囲（θ１Ｓ〜θ１Ｌ）内に規定されているものとする。ここで、タッチパネル３の平面上の１点を示すＸＹ座標系と、傾斜角度θとを対応付けると、例えば、水平方向であるＸ軸方向は傾斜角度θが０度に対応し、垂直方向であるＹ軸方向は傾斜角度θが９０度に対応し、−Ｘ軸方向は傾斜角度θが１８０度に対応し、−Ｙ軸方向は傾斜角度θが２７０度に対応する。
【０１２５】
一方、タッチパネル３の水平方向に対する第２軌道の延在方向の反時計回りの第２傾斜角度θ２は、９０度より大きく１８０度より小さい予め定められた範囲（θ２Ｓ〜θ２Ｌ）内に規定されているものとする。なお、ここでは、θ１Ｓ＝１０度、θ１Ｌ＝８０度として説明するが、θ１Ｓ，θ１Ｌは、０度より大きく９０度より小さい角度であれば１０度，８０度以外であってもよい。また、ここでは、θ２Ｓ＝１００度、θ２Ｌ＝１７０度として説明するが、θ２Ｓ，θ２Ｌは、９０度より大きく１８０度より小さい角度であれば１００度，１７０度以外であってもよい。
【０１２６】
このような構成において、図２３（ａ）及び図２３（ｂ）に示されるように、指２１による直線形状のドラッグ操作が、左用アイコンＬ１及び右用アイコンＲ１に対して実施され、当該ドラッグ操作に係る直線の傾斜角度θがθ１Ｓ〜θ１Ｌ内に存在したものとする（図中の矢印２１Ｅは当該ドラッグ操作における指２１の軌道を示す）。この場合には、制御部１４は、当該ドラッグ操作を左用操作として判別する。この結果、制御部１４は、右用アイコンＲ１に対応付けられた機能を実行せずに、左用アイコンＬ１に対応付けられた機能を実行する。
【０１２７】
一方、図２４（ａ）及び図２４（ｂ）に示されるように、指２１による直線形状のドラッグ操作が、左用アイコンＬ１及び右用アイコンＲ１に対して実施され、当該ドラッグ操作に係る直線の傾斜角度θがθ２Ｓ〜θ２Ｌ内に存在したものとする（図中の矢印２１Ｆは当該ドラッグ操作における指２１の軌道を示す）。この場合には、制御部１４は、当該ドラッグ操作を右用操作として判別する。この結果、制御部１４は、左用アイコンＬ１に対応付けられた機能を実行せずに、右用アイコンＲ１に対応付けられた機能を実行する。
【０１２８】
ここで、左座席のユーザが、自身より右側に配設されているタッチパネル３に対して直線形状のドラッグ操作を行う場合について考察する。図２３（ａ）及び図２３（ｂ）に示されるように、左座席のユーザは、左腕及び右腕のうちタッチパネル３に近い右腕の前腕２６を、自身に近づけるように肘２７を中心に回転させれば、矢印２１Ｅに沿って直線形状を描くドラッグ操作を比較的容易に実施することができると考えられる。このため、左座席のユーザがドラッグ操作によって描く直線の傾斜角度θは、０度より大きく９０度より小さい予め定められた範囲内となる可能性が高いと考えられる。
【０１２９】
このことを鑑みて、本変形例では、上述したように、第１傾斜角度θ１がθ１Ｓ〜θ１Ｌ内に規定されている。このような構成によれば、人間工学の観点から自然であり、左用操作として実施される可能性が高い軌道ジェスチャー操作を、第１規定操作に適用することができる。同様の理由で、第２傾斜角度θ２が、θ２Ｓ〜θ２Ｌ内に規定されることにより、人間工学の観点から自然であり、右用操作として実施される可能性が高い軌道ジェスチャー操作を、第２規定操作に適用することができる。
【０１３０】
なお、第１傾斜角度θ１の規定に用いられる範囲（θ１Ｓ〜θ１Ｌ）の値、及び、第２傾斜角度θ２の規定に用いられる範囲（θ２Ｓ〜θ２Ｌ）の値は、上述に限ったものではなく、運転席及び助手席に対するタッチパネル３の配設位置などに基づいて別の値に変更されてもよい。その結果として、例えば、第１傾斜角度θ１は−４５度より大きく４５度より小さい予め定められた範囲内に規定され、かつ、第２傾斜角度θ２は４５度より大きく１３５度より小さい予め定められた範囲内に規定されてもよい。
【０１３１】
＜実施の形態４＞
本発明の実施の形態４に係るナビゲーション装置１のブロック構成は、実施の形態１のブロック構成と同じであることから、その図示については省略する。また、本実施の形態４に係るナビゲーション装置１において、実施の形態１〜３で説明した構成要素と同一または類似するものについては同じ符号を付し、以下においては異なる点を中心に説明する。
【０１３２】
本実施の形態４では、第１規定操作は、スプリットビュー表示部２に表示されるスライドバーを第１表示状態に変更する操作であり、第２規定操作は、当該スライドバーを第２表示状態に変更する操作である。
【０１３３】
例えば、図２５（ａ）及び図２５（ｂ）に示されるように、スライドバー３１内のボール３２が左側に位置する第１表示状態に、スライドバー３１のボール３２の位置を変更する操作（例えばスライドバー３１上において指示体を右側から左側に移動させる軌道ジェスチャー操作）が実施されたものとする。この場合には、制御部１４は、当該操作後のジェスチャー操作（タッチ操作、ドラッグ操作、フリック操作またはピンチ操作など）を、左用操作として判別する。
【０１３４】
一方、例えば、図２６（ａ）及び図２６（ｂ）に示されるように、スライドバー３１内のボール３２が右側に位置する第２表示状態に、スライドバー３１のボール３２の位置を変更する操作（例えばスライドバー３１上において指示体を左側から右側に移動させる軌道ジェスチャー操作）が実施されたものとする。この場合には、制御部１４は、当該操作後のジェスチャー操作（タッチ操作、ドラッグ操作、フリック操作またはピンチ操作など）を、右用操作として判別する。
【０１３５】
なお、装置の起動直後に表示されるスライドバー３１のボール３２の位置は、例えば記憶部１１に記憶されているものとする。このため、装置の起動直後に、スライドバー３１のボール３２の位置を変更する操作が実施されないまま、アイコンに対する操作が実施された場合には、記憶されたボール３２の位置に応じて、当該操作が左用操作または右用操作として判別される。このとき、スライドバー３１のボール３２の初期位置を、運転者側にすれば運転者にとって便利であるが、これに限ったものではない。
【０１３６】
＜効果＞
以上のような本実施の形態４に係るナビゲーション装置１によれば、スライドバー３１を第１表示状態に変更する操作が実施されたと判定された場合には、当該操作後のジェスチャー操作を左用操作として判別し、スライドバー３１を第２表示状態に変更する操作が実施されたと判定された場合には、当該操作後のジェスチャー操作を右用操作として判別する。したがって、実施の形態１と同様の効果を得ることができる。
【０１３７】
＜実施の形態１〜４に関するその他の変形例＞
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【０１３８】
また、これまでに説明した左用画像及び右用画像（例えば、図７（ａ）及び図７（ｂ）など）においては、左用アイコンＬ１〜Ｌ５のそれぞれの表示領域の少なくとも一部と、右用アイコンＲ１〜Ｒ５のそれぞれの表示領域の少なくとも一部とが、スプリットビュー表示部２の画面上において重ねて配置されていた。しかしこれに限ったものではなく、左用アイコンＬ１〜Ｌ５の少なくとも１つの表示領域の少なくとも一部と、右用アイコンＲ１〜Ｒ５の少なくとも１つの表示領域の少なくとも一部とが、スプリットビュー表示部２の画面上において重ねて配置されたものであればよい。
【０１３９】
さらに、スプリットビュー表示部２の画面上において互いに離間する左用アイコン及び右用アイコンに対して操作が実施されたと判定された場合には、制御部１４は、当該操作の種類に関わらず、当該実施されたアイコンの機能を実行してもよい。
【０１４０】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１４１】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１４２】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１４３】
なお、本発明は、その発明の範囲内において、各実施の形態及び各変形例を自由に組み合わせたり、各実施の形態及び各変形例を適宜、変形、省略したりすることが可能である。
【０１４４】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【０１４５】
１  ナビゲーション装置、２  スプリットビュー表示部、３  タッチパネル、１４  制御部、２１  指、Ｌ１〜Ｌ５  左用アイコン、Ｒ１〜Ｒ５  右用アイコン。
【図１】
0006033465.tif 000002
【図２】
0006033465.tif 000003
【図３】
0006033465.tif 000004
【図４】
0006033465.tif 000005
【図５】
0006033465.tif 000006
【図６】
0006033465.tif 000007
【図７】
0006033465.tif 000008
【図８】
0006033465.tif 000009
【図９】
0006033465.tif 000010
【図１０】
0006033465.tif 000011
【図１１】
0006033465.tif 000012
【図１２】
0006033465.tif 000013
【図１３】
0006033465.tif 000014
【図１４】
0006033465.tif 000015
【図１５】
0006033465.tif 000016
【図１６】
0006033465.tif 000017
【図１７】
0006033465.tif 000018
【図１８】
0006033465.tif 000019
【図１９】
0006033465.tif 000020
【図２０】
0006033465.tif 000021
【図２１】
0006033465.tif 000022
【図２２】
0006033465.tif 000023
【図２３】
0006033465.tif 000024
【図２４】
0006033465.tif 000025
【図２５】
0006033465.tif 000026
【図２６】
0006033465.tif 000027